(57)【要約】【課題】衛生手袋（収容物）を汚し・損じることがないディスペンスケースを提供する。【解決手段】単体ごと独立して折り畳んだシート体を複数枚積み重ねた収容物と、天板の周囲に前記シート体の積み重ね方向に立ち上がる側壁を一体的に設けて内部に前記収容物の収容凹部を形成すると共に、前記天板側の角部に前記天板と前記側壁を連続して切り欠いたＬ形の摘み口を設けたケース本体と、このケース本体に前記収容凹部を閉塞可能に設けた底蓋と、前記摘み口を開口可能に封緘した貼付蓋とからなる。摘み口はＬ形に換えて長孔形のものを天板の中央のみに設けることもある。底蓋側には底板と、この底板を介して収容物を天板側に弾性的に付勢するバネとからなる底上げ機構を設ける。底蓋にベルトホルダを設けることもある。シート体は衛生手袋である。【選択図】図１
2009102039.tif 000002
【特許請求の範囲】
【請求項１】
単体ごとに独立して折り畳んだシート体を複数枚積層した収容物と、天板の周囲に設けた側壁を前記シート体の積層方向に折り曲げて前記収容物の収容凹部を形成すると共に、前記折り曲げ前に天板側の角部に前記天板と前記側壁とをまたいで切り欠いた摘み口を設けたケース本体と、このケース本体に前記収容凹部を閉塞可能に設けた底蓋と、前記摘み口を開口可能に封緘した貼付蓋とからなることを特徴としたディスペンスケース。
【請求項２】
単体ごとに独立して折り畳んだシート体を複数枚積層した収容物と、天板の周囲に前記シート体の積層方向に立ち下がる側壁を一体的に設けて予め前記収容物の収容凹部を形成すると共に、前記天板の中央に長孔形の摘み口を設けたケース本体と、このケース本体に前記収容凹部を閉塞可能に設けた底蓋と、前記摘み口を開口可能に封緘した貼付蓋とからなることを特徴としたディスペンスケース。
【請求項３】
底蓋側には底板と、この底板を介して収容物を天板側に弾性的に付勢するバネとからなる底上げ機構を設けた請求項１または２記載のディスペンスケース。
【請求項４】
底蓋にベルトホルダを設けた請求項１、２または３記載のディスペンスケース。
【請求項５】
シート体はプラスチック製の薄肉手袋である請求項１〜４のうち何れか一項記載のディスペンスケース。
【発明の詳細な説明】
【技術分野】
【０００１】
この発明は、複数枚を積み重ねて収容したシート体を一枚ずつ取り出すディスペンスケースに関するものである。
【背景技術】
【０００２】
特許文献１には、使い捨ての手袋を一枚ずつ取り出すことができるディスペンスケースについて開示がある。即ち、収容物である使い捨て手袋は所望の形状に折り畳まれ、これを複数枚積み重ねてあり、ケース本体は上面にスリットが設けられ、このスリットから折り畳まれた手袋を展開しながら取り出すようにしている。ここで、特徴的なのは、当該従来技術の場合、手袋は折り畳み時あるいは積み重ね時にその一部を上下連結した状態でケース本体に収容されている。したがって、一番上にある手袋を取り出せば、上記連結によって２番目の手袋が引きずられ、その一部が自動的にスリットから飛び出すため、次回以降、手袋を速やかに取り出せるという利点がある。
【０００３】
【特許文献１】国際公開第０３／１０６２７１号パンフレット
【発明の開示】
【発明が解決しようとする課題】
【０００４】
しかしながら、上記従来技術の場合、スリットから常に次の手袋の一部が飛び出ているため、この飛び出た部分が汚れたり破けることがあった。また、従来技術では、取出口をスリットで構成しているため、スリットに手袋が引っ掛かりやすく、取出しの際に手袋が破ける恐れがあった。特に、ケース本体が薄い硬質プラスチックシートで成形されている場合、スリットのエッジが刃のように鋭くなるから、手袋をより破損しやすいものである。
【０００５】
本発明は上述した課題に鑑みなされたもので、その目的とするところは、手袋（収容物）を汚し・損じることがないディスペンスケースを提供することである。
【課題を解決するための手段】
【０００６】
上記目的を達成するために本発明では、先ず、収容物として、単体ごと独立して折り畳んだシート体を複数枚積層して構成する。これを収容するケース本体は、摘み口の形成方法に応じて、組立箱式と当初より箱形とした立体成形式の２種類とする。即ち、前者組立式は、天板の周囲に設けた側壁を前記シート体の積層方向に折り曲げて前記収容物の収容凹部を形成するのに対して、後者の立体成形式は、天板の周囲に前記シート体の積層方向に立ち下がる側壁を一体的に設けて予め前記収容物の収容凹部を形成する。そして、前者のケース本体の場合、前記天板側の角部に前記天板と前記側壁とをまたいで切り欠いた摘み口を設けるのに対して、後者のケース本体の場合、前記天板の中央に長孔形の摘み口を設ける。
【０００７】
また、最終的には何れのケース本体であっても、そのケース本体に前記収容凹部を閉塞可能に設けた底蓋と、前記摘み口を開口可能に封緘した貼付蓋とからディスペンスケースを構成するという手段を用いる。この手段によれば、摘み口からシート体を一枚ずつ取り出すことができ、その次のシート体はケース本体に収容されたままで、摘み口から一部が露出しない。したがって、常に手袋は清潔が保持され、また破ける恐れもない。
【０００８】
さらに、シート体を使用していけば収容物の嵩が小さくなって、摘み口に上層のシート体が位置しなくなり、シート体を取り出しにくくなる。そこで、最後の一枚までシート体を取りやすくするため、底蓋側には底板と、この底板を介して収容物を天板側に弾性的に付勢するバネとからなる底上げ機構を設けるという手段を選択的に用いる。
【０００９】
また、底蓋にベルトホルダを設けることによって携帯の便に供することもある。
【００１０】
さらに、シート体は折り畳み可能で、摘み口から取り出せるものであれば特に特定するものではないが、衛生手袋など、プラスチック製の薄肉手袋であることが好ましい。
【発明の効果】
【００１１】
以上本発明によれば、収容物であるシート体を独立別個に折り畳み、これを積み重ねたので、シート体を取り出す度に次のシート体がケース本体から露出せず、未使用のシート体を汚し、あるいは破損することがない。また、摘み口は指先に見合った形状・大きさであり、シート体を引き出すのに充分であるから、スムーズにシート体を取り出すことができると共に、取出し時にシート体が摘み口に引っ掛かったり擦過して破れる恐れもない。さらに、収容物を底蓋側から底上げ機構材によって弾性的に押し上げるようにしたので、シート体を取り出す度、次のシート体が常に天板側に移動するから、最後の一枚までシート体を容易且つ確実に取り出すことができる。さらにまた、底蓋にベルトホルダを設けたものにあっては、このディスペンスケースを携帯することができる。
【発明を実施するための最良の形態】
【００１２】
以下、本発明の好ましい実施の形態を添付した図面に従って説明する。図１〜５は本発明の一実施形態に係るディスペンスケースを示したものであって、同図中、１は折り畳んだシート体Ｓを複数枚積み重ねてなる収容物、２は収容物１を収容するケース本体、３はケース本体に取り付けられる底蓋である。
【００１３】
収容物１は、上述のようにシート体Ｓを折り畳み、これを複数枚積層したものであるが、この実施形態の場合、シート体Ｓとしてプラスチック製の薄肉手袋である衛生手袋を適用している。そして、当該手袋からなるシート体Ｓは、図６に示したように、先ず親指を手のひらに向かって内側に折り曲げ（図６（ａ）参照）、他の四指も同様に内側に折り曲げた後（図６（ｂ）参照）、最後に半分に折り畳むことで（図６（ｃ）参照）、シート体Ｓ（衛生手袋）一枚一枚をそれぞれ独立して長方形に折り畳む。そして、この折り畳んだシート体Ｓを、例えば、１０束１パックとする場合には、１０枚分を積み重ねてケース本体２に収容する。
【００１４】
ここで、手袋の折り畳み順序や折り畳み方法は図６のものに限定されない。また、シート体Ｓは手袋に限定されず、他の折り畳み可能なものであってもよい。本発明で必要なことは、適宜枚数のシート体を、それぞれ別個独立に折り畳み、互いに何らの連結関係も持たず、これを単に積み重ねて収容物とすることである。
【００１５】
また、ケース本体２は、天板２ａの周囲にシート体Ｓの積み重ね方向に収容物１の厚さに見合った長さの側壁２ｂを周設したものであって、この実施形態の場合、ケース本体２は当初、図７に示した展開図の通りにプラスチックシートを裁断してなる。そして、前記側壁２ｂを直角に折り曲げることで内部を収容物１の収容凹部とした組立式のボックス体とする。なお、収容物１はケース本体２の下面開口から投入することができる。ケースとする。
【００１６】
そして、このケース本体２の天板２ａ側の一の角部には、図７の展開時、即ち側壁２ｂを折り曲げる前に、天板２ａと側壁２ｂとにまたがって連続して切り欠かれた摘み口２ｃを形成している。側壁２ｂを折り曲げてケース本体を立体的に組み立てた後では、打ち抜き等により摘み口２ｃの形成が困難だからである。その後、上述のように側壁２ｂを折り曲げることで、摘み口２ｃはＬ字形となる。この摘み口２ｃは、その開口の大きさがシート体Ｓを一枚引き出すことができるものであればよいが、より好ましい構成としては、天板２ａと側壁２ｂそれぞれで指先が挿入できる程度の大きさ並びに形状とする。２本の指先を挿入することで、積み重ねたシート体Ｓから一枚をつまみ出しやすいからである。ここで、本発明では、シート体Ｓを一枚一枚、単独で折り畳んでいるため、一番上のシート体Ｓを取り出しても、次のシート体Ｓが追従せず、その一部が摘み口２ｃから露出することはない。
【００１７】
この摘み口２ｃは、製品の出荷段階では粘着シールなどの貼付蓋４によって封緘され、使用時にはこれをケース本体２から剥離するものであるが、貼付と剥離を繰り返し行うことができる粘着性を有する貼付蓋４とすれば、シート体Ｓの取り出しを妨げることなく、摘み口２ｃを封緘して、シート体Ｓが不用意に脱落することを防止すると共に、内部を清潔に保つことができる。
【００１８】
なお、摘み口２ｃは上述したＬ形に限らず、長孔形として、天板２ａの中央のみに設けたものであってもよい。この場合、ケース本体２は上述した組立式であってもよいが、プラスチックシートを真空成形や圧空成形などのシート成形法によって、予め内部に収容凹部を形成した立体物であってもよい。また、貼付蓋４も、当該摘み口２ｃの形状に応じて変更できることはもちろんである。
【００１９】
一方、底蓋３は、ケース本体２の底側に取り付けることで下面開口を遮蔽し、ケース本体２に投入した収容物１の脱落を防止するもので、本実施形態の場合、ケース本体２に着脱可能に取り付けられるように構成している。その具体的構成は、先ずケース本体２の側壁２ｂについて、その下端には外側に９０度折曲したフランジ２ｄを形成している。これに対して、底蓋３は、一組の対辺を１８０度折り返すことによって、隙間に前記フランジ２ｄが挿通可能なホルダー部３ａを形成している。当該構成により、ホルダー部３ａにフランジ２ｄを挿通することで、底蓋３をケース本体２に着脱可能に取り付けるように構成している。
【００２０】
また、この実施形態では、底蓋３のケース本体２側表面に、収容物１をケース本体２の天板２ａ側に弾性的に押し上げる底上げ機構５を構成している。底上げ機構５の具体的構成は、収容部１の最下層側シート体Ｓに当接する底板５ａと、この底板５ａを天板２ａ側に付勢する板ばね５ｂとからなる。当該底上げ機構５によって、シート体Ｓの減数に応じてケース本体２が底上げされるから、常に、収容物１の最上層にあるシート体Ｓを摘み口２ｃに位置させることができる。
【００２１】
さらに、この実施形態では、底蓋３の裏面にベルトホルダ６を設けており、本ディスペンスケースを携帯して利用できるようにしている。なお、このベルトホルダ６はベルトを挿通するリング型の他、ベルトに引掛けるフック型であってもよい。また、底蓋３と一体成形することも可能であるが、本実施形態では、両者３・６を別体として成形し、底蓋３中央に形成した菊割り穴３ｂに、ベルトホルダ６中央に突設したキノコ型ピン６ａを差込んで、取り付けるようにしたものである。３ｃ・６ｂは底蓋３およびベルトホルダ６の対応する箇所に設けた係合可能な凹凸であり、ベルトホルダ６の位置決めおよび回り止めとして機能する。
【００２２】
なお、上述の実施形態では、プラスチック製の薄肉手袋である衛生手袋用のディスペンスケースを例示したが、収容物はこれに限定されず、他のシート体であってもよい。例えば、ティッシュのディスペンスケースとする場合は、袋入りの携帯用ティッシュ（いわゆるポケットティッシュ）を複数ユニット分、ケース本体に収容し使用することができる。
【図面の簡単な説明】
【００２３】
【図１】本発明の一実施形態に係るディスペンスケースの全体斜視図
【図２】同ディスペンスケースの側面図
【図３】同ディスペンスケースの正面図
【図４】同ディスペンスケースの平面図
【図５】同ディスペンスケースの底面図
【図６】シート体Ｓ（衛生手袋）の折り畳み手順を示した説明図
【図７】上記実施形態におけるケース本体の展開図
【符号の説明】
【００２４】
１  収容物
２  ケース本体
２ｃ  摘み口
３  底蓋
４  貼付蓋
５  底上げ機能
６  ベルトホルダ
【図１】
2009102039.tif 000003
【図２】
2009102039.tif 000004
【図３】
2009102039.tif 000005
【図４】
2009102039.tif 000006
【図５】
2009102039.tif 000007
【図６】
2009102039.tif 000008
【図７】
2009102039.tif 000009